(57)【要約】【課題】横に長い大きな筆記シートでも、ずれることなく正確に貼着することができる筆記シート貼着工法を提供し、黒板等の筆記ボードを簡単に施工或いはリニューアルできるようにする。【解決手段】回転テーブル１６が昇降可能に支持された移動台車１を備え、ロール状に巻かれた筆記シート２０を前記回転テーブル１６上に起立状に支持し、該筆記シート２０の筆記面２１が表側となるように該筆記シート２０の先端部２２を所要貼着面３０の一端部３１に貼着した後、移動台車１を所要貼着面３０に沿って水平移動させることにより、該筆記シート２０が該先端部２２から順に該所要貼着面３０に磁気吸着力により貼着されるようにした。【選択図】  図４
2017200738.tif 000002
【特許請求の範囲】
【請求項１】
筆記面を有する筆記シートを所要貼着面に対し磁気吸着力により貼着するにあたり、回転テーブルが昇降可能に支持されている移動台車を用いて行う筆記シート貼着工法であって、
ロール状に巻回された前記筆記シートを前記回転テーブル上に起立状に支持し、前記移動台車を前記所要貼着面に接近させると共に、前記移動台車の回転テーブルを昇降させて前記筆記シートの上下端部を前記所要貼着面の上下端部に合致させ、前記筆記シートの筆記面が表側となるように該筆記シートの先端部を前記所要貼着面の一端部に貼着した後、前記移動台車を前記所要貼着面に沿って水平移動させることにより、前記筆記シートがその先端部から順に前記所要貼着面に貼着されるようにしたことを特徴とする筆記シート貼着工法。
【請求項２】
前記回転テーブルの上面に同心状にコアを突設し、前記ロール状に巻かれた筆記シートを前記コアに外嵌することにより該筆記シートが前記回転テーブル上に起立状に支持されるようにしたことを特徴とする請求項１に記載した筆記シート貼着工法。
【発明の詳細な説明】
【技術分野】
【０００１】
本発明は、表面に文字や絵を書くことができる筆記シートを所要貼着面に貼着することにより、黒板・ホワイトボード等の筆記ボードを施工、あるいはリニューアルする筆記シート貼着工法に関するものである。
【背景技術】
【０００２】
近時、黒板等の筆記ボードを施工、あるいはリニューアルするにあたり、磁気吸着力を有する所要貼着面に、文字等を筆記し得るように加工された金属薄板からなる筆記シートを貼着するといった方法が用いられている。すなわち、建物内壁面に形成した木製の台枠にベニア合板からなる基板を装着し、この基板の表面にマグネットシートを取り付けて磁気吸着力を有する所要貼着面を形成しておき、この所要貼着面に予めロール状に巻回しておいた筆記シートを漸次平面状に展開しながら貼着して筆記ボードを完成させるという工法が採用されている。
【先行技術文献】
【特許文献】
【０００３】
【特許文献１】実用新案公報第２５８７５８６号
【特許文献２】特許公報第３０６２１３１号
【発明の概要】
【発明が解決しようとする課題】
【０００４】
しかしながら、上記のような施工方法において、以前からその作業性の問題が指摘されていた。例えば、この施工においては、作業者がロール状に巻回された筆記シートを持ち上げた状態を維持しつつ、所要貼着面に位置合わせをしながら行う必要があるが、筆記シートは、鋼板などといった金属により形成されているため、比較的重量があり、作業に多くの人員を要してしまうといった問題が挙げられる。また、貼着している筆記シートが所要貼着面に対し、少しでもずれてしまうと、再度最初からやり直しを強いられることになるため、筆記シートと所要貼着面の位置合わせは正確且つ慎重に行わなければならず、作業者にかかる負担が多大であるという問題も有していた。特に、横方向に長さがある筆記ボードの場合、このような問題が顕著に生じていた。
【０００５】
そこで、本発明は、筆記面を有する筆記シートを所要貼着面に対し磁気吸着力により貼着するにあたり、作業者にかかる負担を著しく軽減すると共に、より正確な貼着作業をなし得る筆記シート貼着工法を提供することを目的としている。
【課題を解決するための手段】
【０００６】
かかる目的を達成するため本発明は、筆記面を有する筆記シートを所要貼着面に対し磁気吸着力により貼着するにあたり、回転テーブルが昇降可能に支持されている移動台車を用いて行う筆記シート貼着工法であって、ロール状に巻回された筆記シートを前記回転テーブル上に起立状に支持し、前記移動台車を前記所要貼着面に接近させると共に、前記移動台車の回転テーブルを昇降させて前記筆記シートの上下端部を前記所要貼着面の上下端部に一致させ、前記筆記シートの筆記面が表側となるように該筆記シートの先端部を前記所要貼着面の一端部に貼着した後、前記移動台車を前記所要貼着面に沿って水平移動させることにより、前記筆記シートがその先端部から順に前記所要貼着面に貼着されるようにしたことを特徴としている。
【０００７】
また、本発明に係る筆記シート貼着工法は、前記回転テーブルの上面に同心状にコアを突設し、前記ロール状に巻かれた筆記シートを前記コアに外嵌することにより該筆記シートが前記回転テーブル上に起立状に支持されるようにしたことを特徴としている。
【発明の効果】
【０００８】
本発明の請求項１に記載された筆記シート貼着工法によれば、ロール状に巻回された筆記シートを作業者が持ち上げた状態を維持しつつ作業を行う必要が一切なくなるため、作業者にかかる肉体的な負担を著しく軽減することができると共に、作業者の数を少なくすることができる。また、筆記シートと所要貼着面の位置合わせも容易に行うことができると共に、最後まで正確に貼り合わせることができる。
【０００９】
また、本発明の請求項２に記載された筆記シート貼着工法によれば、ロール状に巻回された筆記シートを回転テーブル上で心ずれさせることなく同心状に支持することができるので、筆記シートを貼着するにあたり、作業性を著しく向上させることができる。
【図面の簡単な説明】
【００１０】
【図１】筆記シート貼着工法において使用する移動台車の斜視図。
【図２】図１に示した移動台車に筆記シートをセットしたときの斜視図。
【図３】図２の要部の縦断面図。
【図４】筆記シート貼着工法を示す正面図。
【図５】筆記シート貼着工法を示す平面図。
【発明を実施するための形態】
【００１１】
以下、本発明に係る筆記シート貼着工法の実施形態について、図面に基づき説明する。図１は筆記シート貼着工法において使用する移動台車の斜視図、図２は移動台車に筆記シートをセットしたときの斜視図、図３は図２の要部の縦断面図、図４は筆記シート貼着工法を示す正面図、図５は筆記シート貼着工法を示す平面図である。
【００１２】
ここで、本発明に係る筆記シート貼着工法を実行するにあたり、移動台車を必ず使用することから、この移動台車について予め説明しておく。図１に示されているように、移動台車１は、矩形枠状の剛性フレーム２に固定車輪３ａ，３ｂとストッパ付自在車輪４ａ，４ｂを設けることにより走行可能に構成されている。また、剛性フレーム２の後側端部には手押用のハンドル５が固設されている。さらに、剛性フレーム２上にはＸ字状に交差する支脚６ａ，６ｂが設けられ、支脚６ａ，６ｂにより天板７が水平に支持されている。そして、支脚６ａ，６ｂには、これら支脚６ａ，６ｂを開閉動させるための油圧シリンダ８が配設されており、この油圧シリンダ８は、剛性フレーム２の後側略中央部に固設された油圧ポンプ１０にホース９を介して連通することで油圧回路を構成している。また、油圧ポンプ１０の側部に隣接するように該油圧ポンプ１０を作動させるための足踏みペダル１１が設けられている。さらに、油圧回路には、図示はしないがリリース弁が設けられており、このリリース弁を開閉操作するためのリリース操作杆１２が油圧ポンプ１０の上面に突出状に設けられている。なお、移動台車１の天板７を上昇させるには、足踏みペダル１１を足踏み操作することで行うことができる。すなわち、足踏みペダル１１を踏み込むと油圧ポンプ１０から油圧シリンダ８に作動油が圧送されて油圧シリンダ８が伸長し、これに伴って支脚６ａ，６ｂが起立して天板７を上昇させることができる。他方、移動台車１の天板７を下降させるには、リリース操作杆１２を手動操作することによって行うことができる。すなわち、リリース操作杆１２を反時計回り方向に回転させると、リリース弁が開放されて油圧シリンダ８内の作動油が油圧回路に流出するため、油圧シリンダ８が収縮し、これに伴って天板７を下降させることができる。
【００１３】
前記移動台車１の天板７の上部には、円板形状の座板１５が固設されており、この座板１５上に該座板１５よりもやや径の大きい円板状の回転テーブル１６が水平面内で回動自在に支持されている。具体的には、座板１５の上面には、その中心部に芯棒１７が突設されていると共に、芯棒１７の周囲に適宜間隔を離して複数のボールキャスター１８が設けられている。一方、回転テーブル１６の下面中心部には、軸孔（図示しない）が形成されており、この軸孔に座板１５の芯棒１７を貫挿すると共に、回転テーブル１６の下面をボールキャスター１８によって受けることで、回転テーブル１６が座板１５上において水平面内で自在に回動し得るように支持されている。さらに、回転テーブル１６の上面には、回転テーブル１６と同心となる円柱状のコア１９が突設されている。このように天板７上に回転テーブル１６が設けられていることから、足踏みペダル１１とリリース操作杆１２を交互に操作して天板７を昇降させ、回転テーブル１６の高さを自由に調節することができる。
【００１４】
次に、筆記シート２０を貼着する所要貼着面３０について説明する。所要貼着面３０は、ボード本体Ｂの前面に形成されている。具体的には、図示はしないが、建物内の壁面に木製の周枠と木桟とからなる台枠を螺子等により固定し、この台枠の前面にベニア合板からなる基板を装着してボード本体Ｂを形成している。そして、このボード本体Ｂの基板前面にマグネットシートを取り付けて磁気吸着力を有する所要貼着面３０を形成している。
【００１５】
前記筆記シート２０は、厚さ０．５ｍｍ程度の長尺の金属薄板、例えば、普通鋼板、あるいはホーロー鋼板等により形成されており、その一側面に黒板用塗料を塗布して２００℃〜３００℃程度で焼き付けて筆記面（黒板面）２１が形成されている。なお、本実施の形態では、筆記面２１をいわゆる黒板とした例を示したが、ホワイトボートにすることも可能である。
【００１６】
次に、本発明に係る筆記シートの貼着工法について説明する。筆記シート２０は、予めボード本体Ｂの所要貼着面３０の寸法と同じ寸法に裁断しておく。また、図２及び図３に示されているように、長尺状である筆記シート２０をロール状に巻回した状態で施工現場である建物内に搬入する。なお、筆記シート２０をロール状に巻回するにあたっては、その筆記面２１が内側となるようにすると共に、その中心に中空部が形成されるようにする。そして、移動台車１の天板７を予め低いところに位置させておき、ロール状に巻回された筆記シート２０を天板７上に設けられた回転テーブル１６に載せる。この時、巻回された筆記シート２０の中空部分の下部を回転テーブル１６上のコア１９に差し入れるようにして、筆記シート２０の内側下部をコア１９に外嵌する。これにより巻回された筆記シート２０が回転テーブル１６に支持され、しかも、心ずれすることなく常に回転テーブル１６の回転中心と同心状となるように起立させておくことができる。
【００１７】
そして、図４及び図５に示されているように、筆記シート２０を載せた移動台車１を建物内壁面に設けられたボード本体Ｂの所要貼着面３０に接近させる。そして、移動台車１の足踏みペダル１１及びリリース操作杆１２を操作して天板７を昇降させ、回転テーブル１６上に支持された筆記シート２０の高さが所要貼着面３０の高さと合致するように調節する。すなわち、筆記シート２０の上下端部が所要貼着面３０の上下端部に合致するように位置させる。次いで、図４（ａ）及び図５（ａ）に示されているように、筆記シート２０の筆記面２１が表側になるように筆記シート２０の先端部２２を所要貼着面３０の一端部３１に貼着する。この時、金属薄板で形成されている筆記シート２０は、マグネットシートで形成された所要貼着面３０の磁気吸着力により貼着される。後は、移動台車１のハンドル５を引いて、移動台車１を図４及び図５に示された矢印の方向、すなわち、所要貼着面３０に沿って真っ直ぐに水平移動させる。このように移動台車１を水平移動させていくと、これに伴って筆記シート２０が回転テーブル１６上から順次繰り出され、ロール状に巻回されている筆記シート２０が所要貼着面３０に漸次平面状に展開しながら貼着されていく。この時、ロール状の筆記シート２０は、回転テーブル１６上に起立状で且つ回転自在に支持されている。そのため、筆記シート２０は、常に真っ直ぐに保持された状態で、回転テーブル１６上から繰り出され所要貼着面３０に接近しつつ所要貼着面３０に順次貼着されていくことになる。その結果、筆記シート２０は、最後まで位置ずれすることなく正確に所要貼着面３０に貼着されていくことになる。
【００１８】
なお、前記実施の形態において、移動台車の天板上に配置される座板及び回転テーブルが円板状に形成されている例を示したが、これらは必ずしも円板状である必要はなく、任意の形状を選択することができる。また、前記実施の形態において、移動台車の天板上に座板を介して回転テーブルを設けた例を示したが、天板の上面に直接芯棒及びボールキャスターを設け、ここに回転テーブルを設置するようにしてもよい。
【００１９】
さらに、前記実施の形態において、所要貼着面側が磁気吸着力を有する例を示したが、筆記シート側が磁気吸着力を有するようにしても良い。また、前記実施の形態において、筆記シートを施工現場に搬入する前に予め所要貼着面の寸法と同じ寸法に裁断しておく例を示したが、必ずしもこうする必要はなく、所要貼着面に筆記シートを貼着した後に、所要貼着面の寸法に合うように筆記シートを裁断してもよい。
【符号の説明】
【００２０】
１      移動台車
７      天板
１６    回転テーブル
１９    コア
２０    筆記シート
２１    筆記面
２２    先端部
３０    所要貼着面
【図１】
2017200738.tif 000003
【図２】
2017200738.tif 000004
【図３】
2017200738.tif 000005
【図４】
2017200738.tif 000006
【図５】
2017200738.tif 000007